(57)【要約】【課題】本発明は鉱夫ヘッドライトを開示した。【解決手段】ヘルメットを含み、前記ヘルメットの左端面にはつばが固定的に設置され、前記ヘルメットの中には凹ブロックスライド溝が設置され、前記凹ブロックスライド溝の上端壁にはトップ溝が設置され、前記凹ブロックスライド溝の中には凹ブロックがスライドできるように連結され、前記凹ブロックの中には回転溝が設置され、前記電池が前記電池タブを連動させて九十度回転させた時、前記固定電線連結ヘッドが前記電池タブと通電し、本装置は人の安全を守れると同時に、鉱夫に照明を提供し、伝統的な鉱夫ヘッドライトの角度を調節できない問題を改善し、同時に焦点を変えることにより光源の照らす範囲を調節できる。【選択図】図１
2020177885.tif 000002
【特許請求の範囲】
【請求項１】
ヘルメットを含み、前記ヘルメットの左端面にはつばが固定的に設置され、前記ヘルメットの中には凹ブロックスライド溝が設置され、前記凹ブロックスライド溝の上端壁にはトップ溝が設置され、前記凹ブロックスライド溝の中には凹ブロックがスライドできるように連結され、前記凹ブロックの中には回転溝が設置され、前記回転溝の前後端壁には貫通軸が回転できるように連結され、前記貫通軸には照明ロッドが固定的に設置され、前記照明ロッドの左端面には電球が固定的に設置され、前記照明ロッドの上下端壁にはＴ型スライド溝が対称的に設置され、二つの前記Ｔ型スライド溝の内端壁にはいずれも六つの台形ブロック引っ掛かり溝が設置され、前記Ｔ型スライド溝の中にはＴ型ブロックがスライドできるように連結され、前記Ｔ型ブロックと前記Ｔ型スライド溝との間には大ばねが連結され、二つの前記Ｔ型ブロックの外端面には前記照明ロッドとスライドできるように連結されている推し動かし環状ブロックが固定的に設置され、前記推し動かし環状ブロックの左端面には照明焦点を調節できるランプシェードが固定的に設置され、前記推し動かし環状ブロックの中には外部空間と連通しているＬ型ブロックスライド溝が設置され、前記推し動かし環状ブロックと前記Ｔ型ブロックとの中には前記Ｌ型ブロックスライド溝と連通している縄溝が設置され、前記Ｌ型ブロックスライド溝の中にはＬ型ブロックがスライドできるように連結され、前記Ｌ型ブロックと前記Ｌ型ブロックスライド溝との間には復帰ばねが連結され、二つの前記Ｌ型ブロックの右端には前記照明ロッドとスライドできるように連結されている環状スライドブロックが固定的に設置され、前記縄溝の下端壁には台形ブロックスライド溝が設置され、前記台形ブロックスライド溝の中には前記台形ブロック引っ掛かり溝と結合される台形ブロックがスライドできるように連結され、前記台形ブロックと前記台形ブロックスライド溝との間には台形ブロックばねが連結され、前記縄溝の前後端壁には定滑車が回転できるように連結され、前記台形ブロックと前記Ｌ型ブロックとの間には前記定滑車により縄が連結され、前記照明ロッドの中には電池スライド溝が設置され、前記電池スライド溝の上端壁には扇形スライド溝が設置され、前記扇形スライド溝と前記電池スライド溝との間には前記電球を点滅させることができるスイッチ装置が設置され、前記凹ブロックスライド溝の右端壁には内溝が設置され、前記内溝の上端壁には後溝が設置され、前記内溝の下端壁には十三個の引っ掛かり溝が設置され、前記凹ブロックの上端面には前記内溝とスライドできるように連結されている弧状ロッドが固定的に設置され、前記弧状ロッドの中には前記ランプシェードの位置を調節できる引き動かし装置が設置されていることを特徴とする鉱夫ヘッドライト。
【請求項２】
前記スイッチ装置は前記電池スライド溝の中にスライドできるように装着されている電池を含み、前記電池の左端面には電池タブが前後対称的に設置され、前記電池の上端面には前記扇形スライド溝とスライドできるように連結されている連結ブロックが固定的に設置され、前記連結ブロックの上端面には推し動かし小ブロックが固定的に設置され、前記電球の右端面には電線が上下対称的に設置され、前記電線の右端には前記電池タブと通電できる固定電線連結ヘッドが固定的に設置され、前記電池が前記電池タブを連動させて九十度回転させた時、前記固定電線連結ヘッドが前記電池タブと通電し、前記電球が照明できることを特徴とする請求項１に記載の鉱夫ヘッドライト。
【請求項３】
前記引き動かし装置は前記弧状ロッドの中に設置されている引き動かしスライド溝を含み、前記引き動かしスライド溝の中には引き動かしブロックがスライドできるように連結され、前記引き動かしスライド溝の右端壁にはリミット溝が設置され、前記リミット溝の中には前記引き動かしブロックと固定的に連結されているリミット機構が設置され、前記引き動かしブロックの下端面には前記引っ掛かりブロックとスライドできるように連結されている引っ掛かり溝が固定的に設置され、前記引っ掛かりブロックが前記引っ掛かり溝の中に挿入されて前記凹ブロックの位置を調節できることを特徴とする請求項１に記載の鉱夫ヘッドライト。
【発明の詳細な説明】
【技術分野】
【０００１】
本発明は鉱業分野に関わり、具体的には鉱夫ヘッドライトである。
【背景技術】
【０００２】
今、人々は鉱石へのニーズが日増しに増え、ますます多くの人は鉱石採掘の作業に勤め始め、鉱夫ヘッドライトは鉱夫の安全を保証して鉱夫の作業を進めることに便利を与える工具であり、伝統的な鉱夫ヘッドライトは前方しか照明できなく、角度を調整できなく、且つ光源の焦点を変更できなく、鉱山の洞窟の中の複雑な地形に対応できない。
【先行技術文献】
【特許文献】
【０００３】
【特許文献１】中国特許出願公開第１０６８８５１５４号明細書
【発明の概要】
【発明が解決しようとする課題】
【０００４】
本発明は鉱夫ヘッドライトを提供し、上記背景技術において取り上げられた問題を解決することを目的とする。
【課題を解決するための手段】
【０００５】
上記の目的を実現するため、本発明は以下の技術方案を提供する：鉱夫ヘッドライトであり、ヘルメットを含み、前記ヘルメットの左端面にはつばが固定的に設置され、前記ヘルメットの中には凹ブロックスライド溝が設置され、前記凹ブロックスライド溝の上端壁にはトップ溝が設置され、前記凹ブロックスライド溝の中には凹ブロックがスライドできるように連結され、前記凹ブロックの中には回転溝が設置され、前記回転溝の前後端壁には貫通軸が回転できるように連結され、前記貫通軸には照明ロッドが固定的に設置され、前記照明ロッドの左端面には電球が固定的に設置され、前記照明ロッドの上下端壁にはＴ型スライド溝が対称的に設置され、二つの前記Ｔ型スライド溝の内端壁にはいずれも六つの台形ブロック引っ掛かり溝が設置され、前記Ｔ型スライド溝の中にはＴ型ブロックがスライドできるように連結され、前記Ｔ型ブロックと前記Ｔ型スライド溝との間には大ばねが連結され、二つの前記Ｔ型ブロックの外端面には前記照明ロッドとスライドできるように連結されている推し動かし環状ブロックが固定的に設置され、前記推し動かし環状ブロックの左端面には照明焦点を調節できるランプシェードが固定的に設置され、前記推し動かし環状ブロックの中には外部空間と連通しているＬ型ブロックスライド溝が設置され、前記推し動かし環状ブロックと前記Ｔ型ブロックとの中には前記Ｌ型ブロックスライド溝と連通している縄溝が設置され、前記Ｌ型ブロックスライド溝の中にはＬ型ブロックがスライドできるように連結され、前記Ｌ型ブロックと前記Ｌ型ブロックスライド溝との間には復帰ばねが連結され、二つの前記Ｌ型ブロックの右端には前記照明ロッドとスライドできるように連結されている環状スライドブロックが固定的に設置され、前記縄溝の下端壁には台形ブロックスライド溝が設置され、前記台形ブロックスライド溝の中には前記台形ブロック引っ掛かり溝と結合される台形ブロックがスライドできるように連結され、前記台形ブロックと前記台形ブロックスライド溝との間には台形ブロックばねが連結され、前記縄溝の前後端壁には定滑車が回転できるように連結され、前記台形ブロックと前記Ｌ型ブロックとの間には前記定滑車により縄が連結され、前記照明ロッドの中には電池スライド溝が設置され、前記電池スライド溝の上端壁には扇形スライド溝が設置され、前記扇形スライド溝と前記電池スライド溝との間には前記電球を点滅させることができるスイッチ装置が設置され、前記凹ブロックスライド溝の右端壁には内溝が設置され、前記内溝の上端壁には後溝が設置され、前記内溝の下端壁には十三個の引っ掛かり溝が設置され、前記凹ブロックの上端面には前記内溝とスライドできるように連結されている弧状ロッドが固定的に設置され、前記弧状ロッドの中には前記ランプシェードの位置を調節できる引き動かし装置が設置されている。
【０００６】
好ましくは、前記スイッチ装置は前記電池スライド溝の中にスライドできるように装着されている電池を含み、前記電池の左端面には電池タブが前後対称的に設置され、前記電池の上端面には前記扇形スライド溝とスライドできるように連結されている連結ブロックが固定的に設置され、前記連結ブロックの上端面には推し動かし小ブロックが固定的に設置され、前記電球の右端面には電線が上下対称的に設置され、前記電線の右端には前記電池タブと通電できる固定電線連結ヘッドが固定的に設置され、前記電池が前記電池タブを連動させて九十度回転させた時、前記固定電線連結ヘッドが前記電池タブと通電し、前記電球が照明できる。
【０００７】
好ましくは、前記引き動かし装置は前記弧状ロッドの中に設置されている引き動かしスライド溝を含み、前記引き動かしスライド溝の中には引き動かしブロックがスライドできるように連結され、前記引き動かしスライド溝の右端壁にはリミット溝が設置され、前記リミット溝の中には前記引き動かしブロックと固定的に連結されているリミット機構が設置され、前記引き動かしブロックの下端面には前記引っ掛かりブロックとスライドできるように連結されている引っ掛かり溝が固定的に設置され、前記引っ掛かりブロックが前記引っ掛かり溝の中に挿入されて前記凹ブロックの位置を調節できる。
【発明の効果】
【０００８】
本発明の有益な効果は：本装置は人の安全を守れると同時に、鉱夫に照明を提供し、伝統的な鉱夫ヘッドライトの角度を調節できない問題を改善し、同時に焦点を変えることにより光源の照らす範囲を調節でき、また鉱夫ヘッドライトの角度を調節することを通し、鉱夫ヘッドライトが洞窟全体を明るく照らし、鉱夫の作業に便利を与える。
【図面の簡単な説明】
【０００９】
発明の実施例または既存の技術の中の技術方案をより詳しく説明できるため、下記には実施例または既存の技術を説明することに必要な付図に対して簡単な紹介を行い、明らかなように、下記の付図はただ発明の一部分の実施例であり、当業者にとって、創造的な労働を払わなくても、これらの付図に基づいて他の付図を獲得することができる。
【００１０】
【図１】図１は本発明の鉱夫ヘッドライトの全体全断面の正面構成模式図
【図２】図２は本発明の照明ライトの拡大図
【図３】図３は本発明の図１のＡのところの局部拡大図
【図４】図４は本発明の図２のＢのところの局部拡大図
【図５】図５は本発明の図２のＤ−Ｄ方向の断面図
【図６】図６は本発明の図２のＣ−Ｃ方向の断面図
【発明を実施するための形態】
【００１１】
本説明書に開示したすべての特徴、または開示したすべての方法または過程中のステップは、互いに排斥する特徴と／またはステップ以外に、いずれもあらゆる方式で組み合わせることができる。
【００１２】
本説明書に公開したすべての特徴は、特別な説明を除き、いずれも他の同等または類似の目的がある代わり特徴に代われることができ、即ち、特別な説明を除き、全ての特徴はただ一連の同等のまたは類似の特徴の中の一例である。
【００１３】
次に図１−６を合わせて本発明を詳しく説明し、意思の疎通にもっと便利なため、後文に出る方位を以下の通りに規定する：後文に出る上下左右前後の方向は図１自体の投影関係の上下左右前後の方向と一致している。
【００１４】
図１−６を参照し、本発明の実施例は、鉱夫ヘッドライトであり、ヘルメット２１を含み、前記ヘルメット２１の左端面にはつば２２が固定的に設置され、前記ヘルメット２１の中には凹ブロックスライド溝２４が設置され、前記凹ブロックスライド溝２４の上端壁にはトップ溝２５が設置され、前記凹ブロックスライド溝２４の中には凹ブロック２９がスライドできるように連結され、前記凹ブロック２９の中には回転溝２３が設置され、前記回転溝２３の前後端壁には貫通軸４３が回転できるように連結され、前記貫通軸４３には照明ロッド４１が固定的に設置され、前記照明ロッド４１の左端面には電球３７が固定的に設置され、前記照明ロッド４１の上下端壁にはＴ型スライド溝５７が対称的に設置され、二つの前記Ｔ型スライド溝５７の内端壁にはいずれも六つの台形ブロック引っ掛かり溝５９が設置され、前記Ｔ型スライド溝５７の中にはＴ型ブロック４９がスライドできるように連結され、前記Ｔ型ブロック４９と前記Ｔ型スライド溝５７との間には大ばね５８が連結され、二つの前記Ｔ型ブロック４９の外端面には前記照明ロッド４１とスライドできるように連結されている推し動かし環状ブロック４８が固定的に設置され、前記推し動かし環状ブロック４８の左端面には照明焦点を調節できるランプシェード３６が固定的に設置され、前記推し動かし環状ブロック４８の中には外部空間と連通しているＬ型ブロックスライド溝５２が設置され、前記推し動かし環状ブロック４８と前記Ｔ型ブロック４９との中には前記Ｌ型ブロックスライド溝５２と連通している縄溝５０が設置され、前記Ｌ型ブロックスライド溝５２の中にはＬ型ブロック５３がスライドできるように連結され、前記Ｌ型ブロック５３と前記Ｌ型ブロックスライド溝５２との間には復帰ばね５１が連結され、二つの前記Ｌ型ブロック５３の右端には前記照明ロッド４１とスライドできるように連結されている環状スライドブロック５６が固定的に設置され、前記縄溝５０の下端壁には台形ブロックスライド溝６０が設置され、前記台形ブロックスライド溝６０の中には前記台形ブロック引っ掛かり溝５９と結合される台形ブロック６２がスライドできるように連結され、前記台形ブロック６２と前記台形ブロックスライド溝６０との間には台形ブロックばね６１が連結され、前記縄溝５０の前後端壁には定滑車５４が回転できるように連結され、前記台形ブロック６２と前記Ｌ型ブロック５３との間には前記定滑車５４により縄５５が連結され、前記照明ロッド４１の中には電池スライド溝６３が設置され、前記電池スライド溝６３の上端壁には扇形スライド溝３９が設置され、前記扇形スライド溝３９と前記電池スライド溝６３との間には前記電球３７を点滅させることができるスイッチ装置１０１が設置され、前記凹ブロックスライド溝２４の右端壁には内溝２７が設置され、前記内溝２７の上端壁には後溝２６が設置され、前記内溝２７の下端壁には十三個の引っ掛かり溝３３が設置され、前記凹ブロック２９の上端面には前記内溝２７とスライドできるように連結されている弧状ロッド２８が固定的に設置され、前記弧状ロッド２８の中には前記ランプシェード３６の位置を調節できる引き動かし装置１０２が設置されている。
【００１５】
前記スイッチ装置１０１は前記電池スライド溝６３の中にスライドできるように装着されている電池４４を含み、前記電池４４の左端面には電池タブ４２が前後対称的に設置され、前記電池４４の上端面には前記扇形スライド溝３９とスライドできるように連結されている連結ブロック４０が固定的に設置され、前記連結ブロック４０の上端面には推し動かし小ブロック３８が固定的に設置され、前記電球３７の右端面には電線４７が上下対称的に設置され、前記電線４７の右端には前記電池タブ４２と通電できる固定電線連結ヘッド４６が固定的に設置され、前記電池４４が前記電池タブ４２を連動させて九十度回転させた時、前記固定電線連結ヘッド４６が前記電池タブ４２と通電し、前記電球３７が照明できる。
【００１６】
前記引き動かし装置１０２は前記弧状ロッド２８の中に設置されている引き動かしスライド溝３５を含み、前記引き動かしスライド溝３５の中には引き動かしブロック３０がスライドできるように連結され、前記引き動かしスライド溝３５の右端壁にはリミット溝３２が設置され、前記リミット溝３２の中には前記引き動かしブロック３０と固定的に連結されているリミット機構３１が設置され、前記引き動かしブロック３０の下端面には前記引っ掛かりブロック３４とスライドできるように連結されている引っ掛かり溝３３が固定的に設置され、前記引っ掛かりブロック３４が前記引っ掛かり溝３３の中に挿入されて前記凹ブロック２９の位置を調節できる。
【００１７】
使用する時、推し動かし小ブロック３８を引き動かし、それにより連結ブロック４０と電池４４とを回転連動させ、それにより電池タブ４２が固定電線連結ヘッド４６と通電し、それにより電球３７が光り、その後、ランプシェード３６を右端へ推し動かし、それにより電球３７の焦点を調節し、それにより電球３７によって出された光源の焦点が集束又は拡散することを制御し、ランプシェード３６を復帰させようとする時、環状スライドブロック５６を左へ推し動かし、それによりＬ型ブロック５３を左へ移動連動させ、縄５５により台形ブロック６２を上へ移動させて台形ブロック引っ掛かり溝５９から離脱させ、そしてランプシェード３６を左へ一番左に引き、鉱山の洞窟全体を照らす時、引き動かしブロック３０を上へ抜き、その後、弧状ロッド２８と凹ブロック２９とを後方へ引き動かし、それによりランプシェード３６が頂端に向き、そしてランプシェード３６を一番下に引き、それにより電球３７が完全に外部空間に曝され、それで洞窟全体を明るく照らす。
【００１８】
本発明の有益な効果は：本装置は人の安全を守れると同時に、鉱夫に照明を提供し、伝統的な鉱夫ヘッドライトの角度を調節できない問題を改善し、同時に焦点を変えることにより光源の照らす範囲を調節でき、また鉱夫ヘッドライトの角度を調節することを通し、鉱夫ヘッドライトが洞窟全体を明るく照らし、鉱夫の作業に便利を与える。
【００１９】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は請求項に限定された保護範囲を基準とするべきである。
【図１】
2020177885.tif 000003
【図２】
2020177885.tif 000004
【図３】
2020177885.tif 000005
【図４】
2020177885.tif 000006
【図５】
2020177885.tif 000007
【図６】
2020177885.tif 000008
【手続補正書】
【提出日】令和1年8月26日(2019.8.26)
【手続補正１】
【補正対象書類名】特許請求の範囲
【補正対象項目名】全文
【補正方法】変更
【補正の内容】
【特許請求の範囲】
【請求項１】
ヘルメットを含み、前記ヘルメットの左端面にはつばが固定的に設置され、前記ヘルメットの中には凹ブロックスライド溝が設置され、前記凹ブロックスライド溝の上端壁にはトップ溝が設置され、前記凹ブロックスライド溝の中には凹ブロックがスライドできるように連結され、前記凹ブロックの中には回転溝が設置され、前記回転溝の前後端壁には貫通軸が回転できるように連結され、前記貫通軸には照明ロッドが固定的に設置され、前記照明ロッドの左端面には電球が固定的に設置され、前記照明ロッドの上下端壁にはＴ型スライド溝が対称的に設置され、二つの前記Ｔ型スライド溝の内端壁にはいずれも六つの台形ブロック引っ掛かり溝が設置され、前記Ｔ型スライド溝の中にはＴ型ブロックがスライドできるように連結され、前記Ｔ型ブロックと前記Ｔ型スライド溝との間には大ばねが連結され、二つの前記Ｔ型ブロックの外端面には前記照明ロッドとスライドできるように連結されている推し動かし環状ブロックが固定的に設置され、前記推し動かし環状ブロックの左端面には照明焦点を調節できるランプシェードが固定的に設置され、前記推し動かし環状ブロックの中には外部空間と連通しているＬ型ブロックスライド溝が設置され、前記推し動かし環状ブロックと前記Ｔ型ブロックとの中には前記Ｌ型ブロックスライド溝と連通している縄溝が設置され、前記Ｌ型ブロックスライド溝の中にはＬ型ブロックがスライドできるように連結され、前記Ｌ型ブロックと前記Ｌ型ブロックスライド溝との間には復帰ばねが連結され、二つの前記Ｌ型ブロックの右端には前記照明ロッドとスライドできるように連結されている環状スライドブロックが固定的に設置され、前記縄溝の下端壁には台形ブロックスライド溝が設置され、前記台形ブロックスライド溝の中には前記台形ブロック引っ掛かり溝と結合される台形ブロックがスライドできるように連結され、前記台形ブロックと前記台形ブロックスライド溝との間には台形ブロックばねが連結され、前記縄溝の前後端壁には定滑車が回転できるように連結され、前記台形ブロックと前記Ｌ型ブロックとの間には前記定滑車により縄が連結され、前記照明ロッドの中には電池スライド溝が設置され、前記電池スライド溝の上端壁には扇形スライド溝が設置され、前記扇形スライド溝と前記電池スライド溝との間には前記電球を点滅させることができるスイッチ装置が設置され、前記凹ブロックスライド溝の右端壁には内溝が設置され、前記内溝の上端壁には後溝が設置され、前記内溝の下端壁には十三個の引っ掛かり溝が設置され、前記凹ブロックの上端面には前記内溝とスライドできるように連結されている弧状ロッドが固定的に設置され、前記弧状ロッドの中には前記ランプシェードの位置を調節できる引き動かし装置が設置されており、
前記引き動かし装置は前記弧状ロッドの中に設置されている引き動かしスライド溝を含み、前記引き動かしスライド溝の中には引き動かしブロックがスライドできるように連結され、前記引き動かしスライド溝の右端壁にはリミット溝が設置され、前記リミット溝の中には前記引き動かしブロックと固定的に連結されているリミット機構が設置され、前記引き動かしブロックの下端面には前記引っ掛かり溝とスライドできるように連結されている引っ掛かりブロックが固定的に設置され、前記引っ掛かりブロックが前記引っ掛かり溝の中に挿入されて前記凹ブロックの位置を調節できることを特徴とする鉱夫ヘッドライト。
【請求項２】
前記スイッチ装置は前記電池スライド溝の中にスライドできるように装着されている電池を含み、前記電池の左端面には電池タブが前後対称的に設置され、前記電池の上端面には前記扇形スライド溝とスライドできるように連結されている連結ブロックが固定的に設置され、前記連結ブロックの上端面には推し動かし小ブロックが固定的に設置され、前記電球の右端面には電線が上下対称的に設置され、前記電線の右端には前記電池タブと通電できる固定電線連結ヘッドが固定的に設置され、前記電池が前記電池タブを連動させて九十度回転させた時、前記固定電線連結ヘッドが前記電池タブと通電し、前記電球が照明できることを特徴とする請求項１に記載の鉱夫ヘッドライト。
【手続補正２】
【補正対象書類名】明細書
【補正対象項目名】全文
【補正方法】変更
【補正の内容】
【発明の詳細な説明】
【技術分野】
【０００１】
本発明は鉱業分野に関わり、具体的には鉱夫ヘッドライトである。
【背景技術】
【０００２】
今、人々は鉱石へのニーズが日増しに増え、ますます多くの人は鉱石採掘の作業に勤め始め、鉱夫ヘッドライトは鉱夫の安全を保証して鉱夫の作業を進めることに便利を与える工具であり、伝統的な鉱夫ヘッドライトは前方しか照明できなく、角度を調整できなく、且つ光源の焦点を変更できなく、鉱山の洞窟の中の複雑な地形に対応できない。
【先行技術文献】
【特許文献】
【０００３】
【特許文献１】中国特許出願公開第１０６８８５１５４号明細書
【発明の概要】
【発明が解決しようとする課題】
【０００４】
本発明は鉱夫ヘッドライトを提供し、上記背景技術において取り上げられた問題を解決することを目的とする。
【課題を解決するための手段】
【０００５】
上記の目的を実現するため、本発明は以下の技術方案を提供する：鉱夫ヘッドライトであり、ヘルメットを含み、前記ヘルメットの左端面にはつばが固定的に設置され、前記ヘルメットの中には凹ブロックスライド溝が設置され、前記凹ブロックスライド溝の上端壁にはトップ溝が設置され、前記凹ブロックスライド溝の中には凹ブロックがスライドできるように連結され、前記凹ブロックの中には回転溝が設置され、前記回転溝の前後端壁には貫通軸が回転できるように連結され、前記貫通軸には照明ロッドが固定的に設置され、前記照明ロッドの左端面には電球が固定的に設置され、前記照明ロッドの上下端壁にはＴ型スライド溝が対称的に設置され、二つの前記Ｔ型スライド溝の内端壁にはいずれも六つの台形ブロック引っ掛かり溝が設置され、前記Ｔ型スライド溝の中にはＴ型ブロックがスライドできるように連結され、前記Ｔ型ブロックと前記Ｔ型スライド溝との間には大ばねが連結され、二つの前記Ｔ型ブロックの外端面には前記照明ロッドとスライドできるように連結されている推し動かし環状ブロックが固定的に設置され、前記推し動かし環状ブロックの左端面には照明焦点を調節できるランプシェードが固定的に設置され、前記推し動かし環状ブロックの中には外部空間と連通しているＬ型ブロックスライド溝が設置され、前記推し動かし環状ブロックと前記Ｔ型ブロックとの中には前記Ｌ型ブロックスライド溝と連通している縄溝が設置され、前記Ｌ型ブロックスライド溝の中にはＬ型ブロックがスライドできるように連結され、前記Ｌ型ブロックと前記Ｌ型ブロックスライド溝との間には復帰ばねが連結され、二つの前記Ｌ型ブロックの右端には前記照明ロッドとスライドできるように連結されている環状スライドブロックが固定的に設置され、前記縄溝の下端壁には台形ブロックスライド溝が設置され、前記台形ブロックスライド溝の中には前記台形ブロック引っ掛かり溝と結合される台形ブロックがスライドできるように連結され、前記台形ブロックと前記台形ブロックスライド溝との間には台形ブロックばねが連結され、前記縄溝の前後端壁には定滑車が回転できるように連結され、前記台形ブロックと前記Ｌ型ブロックとの間には前記定滑車により縄が連結され、前記照明ロッドの中には電池スライド溝が設置され、前記電池スライド溝の上端壁には扇形スライド溝が設置され、前記扇形スライド溝と前記電池スライド溝との間には前記電球を点滅させることができるスイッチ装置が設置され、前記凹ブロックスライド溝の右端壁には内溝が設置され、前記内溝の上端壁には後溝が設置され、前記内溝の下端壁には十三個の引っ掛かり溝が設置され、前記凹ブロックの上端面には前記内溝とスライドできるように連結されている弧状ロッドが固定的に設置され、前記弧状ロッドの中には前記ランプシェードの位置を調節できる引き動かし装置が設置されている。
【０００６】
好ましくは、前記スイッチ装置は前記電池スライド溝の中にスライドできるように装着されている電池を含み、前記電池の左端面には電池タブが前後対称的に設置され、前記電池の上端面には前記扇形スライド溝とスライドできるように連結されている連結ブロックが固定的に設置され、前記連結ブロックの上端面には推し動かし小ブロックが固定的に設置され、前記電球の右端面には電線が上下対称的に設置され、前記電線の右端には前記電池タブと通電できる固定電線連結ヘッドが固定的に設置され、前記電池が前記電池タブを連動させて九十度回転させた時、前記固定電線連結ヘッドが前記電池タブと通電し、前記電球が照明できる。
【０００７】
好ましくは、前記引き動かし装置は前記弧状ロッドの中に設置されている引き動かしスライド溝を含み、前記引き動かしスライド溝の中には引き動かしブロックがスライドできるように連結され、前記引き動かしスライド溝の右端壁にはリミット溝が設置され、前記リミット溝の中には前記引き動かしブロックと固定的に連結されているリミット機構が設置され、前記引き動かしブロックの下端面には前記引っ掛かり溝とスライドできるように連結されている引っ掛かりブロックが固定的に設置され、前記引っ掛かりブロックが前記引っ掛かり溝の中に挿入されて前記凹ブロックの位置を調節できる。
【発明の効果】
【０００８】
本発明の有益な効果は：本装置は人の安全を守れると同時に、鉱夫に照明を提供し、伝統的な鉱夫ヘッドライトの角度を調節できない問題を改善し、同時に焦点を変えることにより光源の照らす範囲を調節でき、また鉱夫ヘッドライトの角度を調節することを通し、鉱夫ヘッドライトが洞窟全体を明るく照らし、鉱夫の作業に便利を与える。
【図面の簡単な説明】
【０００９】
発明の実施例または既存の技術の中の技術方案をより詳しく説明できるため、下記には実施例または既存の技術を説明することに必要な付図に対して簡単な紹介を行い、明らかなように、下記の付図はただ発明の一部分の実施例であり、当業者にとって、創造的な労働を払わなくても、これらの付図に基づいて他の付図を獲得することができる。
【００１０】
【図１】図１は本発明の鉱夫ヘッドライトの全体全断面の正面構成模式図
【図２】図２は本発明の照明ライトの拡大図
【図３】図３は本発明の図１のＡのところの局部拡大図
【図４】図４は本発明の図２のＢのところの局部拡大図
【図５】図５は本発明の図２のＤ−Ｄ方向の断面図
【図６】図６は本発明の図２のＣ−Ｃ方向の断面図
【発明を実施するための形態】
【００１１】
本説明書に開示したすべての特徴、または開示したすべての方法または過程中のステップは、互いに排斥する特徴と／またはステップ以外に、いずれもあらゆる方式で組み合わせることができる。
【００１２】
本説明書に公開したすべての特徴は、特別な説明を除き、いずれも他の同等または類似の目的がある代わり特徴に代われることができ、即ち、特別な説明を除き、全ての特徴はただ一連の同等のまたは類似の特徴の中の一例である。
【００１３】
次に図１−６を合わせて本発明を詳しく説明し、意思の疎通にもっと便利なため、後文に出る方位を以下の通りに規定する：後文に出る上下左右前後の方向は図１自体の投影関係の上下左右前後の方向と一致している。
【００１４】
図１−６を参照し、本発明の実施例は、鉱夫ヘッドライトであり、ヘルメット２１を含み、前記ヘルメット２１の左端面にはつば２２が固定的に設置され、前記ヘルメット２１の中には凹ブロックスライド溝２４が設置され、前記凹ブロックスライド溝２４の上端壁にはトップ溝２５が設置され、前記凹ブロックスライド溝２４の中には凹ブロック２９がスライドできるように連結され、前記凹ブロック２９の中には回転溝２３が設置され、前記回転溝２３の前後端壁には貫通軸４３が回転できるように連結され、前記貫通軸４３には照明ロッド４１が固定的に設置され、前記照明ロッド４１の左端面には電球３７が固定的に設置され、前記照明ロッド４１の上下端壁にはＴ型スライド溝５７が対称的に設置され、二つの前記Ｔ型スライド溝５７の内端壁にはいずれも六つの台形ブロック引っ掛かり溝５９が設置され、前記Ｔ型スライド溝５７の中にはＴ型ブロック４９がスライドできるように連結され、前記Ｔ型ブロック４９と前記Ｔ型スライド溝５７との間には大ばね５８が連結され、二つの前記Ｔ型ブロック４９の外端面には前記照明ロッド４１とスライドできるように連結されている推し動かし環状ブロック４８が固定的に設置され、前記推し動かし環状ブロック４８の左端面には照明焦点を調節できるランプシェード３６が固定的に設置され、前記推し動かし環状ブロック４８の中には外部空間と連通しているＬ型ブロックスライド溝５２が設置され、前記推し動かし環状ブロック４８と前記Ｔ型ブロック４９との中には前記Ｌ型ブロックスライド溝５２と連通している縄溝５０が設置され、前記Ｌ型ブロックスライド溝５２の中にはＬ型ブロック５３がスライドできるように連結され、前記Ｌ型ブロック５３と前記Ｌ型ブロックスライド溝５２との間には復帰ばね５１が連結され、二つの前記Ｌ型ブロック５３の右端には前記照明ロッド４１とスライドできるように連結されている環状スライドブロック５６が固定的に設置され、前記縄溝５０の下端壁には台形ブロックスライド溝６０が設置され、前記台形ブロックスライド溝６０の中には前記台形ブロック引っ掛かり溝５９と結合される台形ブロック６２がスライドできるように連結され、前記台形ブロック６２と前記台形ブロックスライド溝６０との間には台形ブロックばね６１が連結され、前記縄溝５０の前後端壁には定滑車５４が回転できるように連結され、前記台形ブロック６２と前記Ｌ型ブロック５３との間には前記定滑車５４により縄５５が連結され、前記照明ロッド４１の中には電池スライド溝６３が設置され、前記電池スライド溝６３の上端壁には扇形スライド溝３９が設置され、前記扇形スライド溝３９と前記電池スライド溝６３との間には前記電球３７を点滅させることができるスイッチ装置１０１が設置され、前記凹ブロックスライド溝２４の右端壁には内溝２７が設置され、前記内溝２７の上端壁には後溝２６が設置され、前記内溝２７の下端壁には十三個の引っ掛かり溝３３が設置され、前記凹ブロック２９の上端面には前記内溝２７とスライドできるように連結されている弧状ロッド２８が固定的に設置され、前記弧状ロッド２８の中には前記ランプシェード３６の位置を調節できる引き動かし装置１０２が設置されている。
【００１５】
前記スイッチ装置１０１は前記電池スライド溝６３の中にスライドできるように装着されている電池４４を含み、前記電池４４の左端面には電池タブ４２が前後対称的に設置され、前記電池４４の上端面には前記扇形スライド溝３９とスライドできるように連結されている連結ブロック４０が固定的に設置され、前記連結ブロック４０の上端面には推し動かし小ブロック３８が固定的に設置され、前記電球３７の右端面には電線４７が上下対称的に設置され、前記電線４７の右端には前記電池タブ４２と通電できる固定電線連結ヘッド４６が固定的に設置され、前記電池４４が前記電池タブ４２を連動させて九十度回転させた時、前記固定電線連結ヘッド４６が前記電池タブ４２と通電し、前記電球３７が照明できる。
【００１６】
前記引き動かし装置１０２は前記弧状ロッド２８の中に設置されている引き動かしスライド溝３５を含み、前記引き動かしスライド溝３５の中には引き動かしブロック３０がスライドできるように連結され、前記引き動かしスライド溝３５の右端壁にはリミット溝３２が設置され、前記リミット溝３２の中には前記引き動かしブロック３０と固定的に連結されているリミット機構３１が設置され、前記引き動かしブロック３０の下端面には前記引っ掛かり溝３３とスライドできるように連結されている引っ掛かりブロック３４が固定的に設置され、前記引っ掛かりブロック３４が前記引っ掛かり溝３３の中に挿入されて前記凹ブロック２９の位置を調節できる。
【００１７】
使用する時、推し動かし小ブロック３８を引き動かし、それにより連結ブロック４０と電池４４とを回転連動させ、それにより電池タブ４２が固定電線連結ヘッド４６と通電し、それにより電球３７が光り、その後、ランプシェード３６を右端へ推し動かし、それにより電球３７の焦点を調節し、それにより電球３７によって出された光源の焦点が集束又は拡散することを制御し、ランプシェード３６を復帰させようとする時、環状スライドブロック５６を左へ推し動かし、それによりＬ型ブロック５３を左へ移動連動させ、縄５５により台形ブロック６２を上へ移動させて台形ブロック引っ掛かり溝５９から離脱させ、そしてランプシェード３６を左へ一番左に引き、鉱山の洞窟全体を照らす時、引き動かしブロック３０を上へ抜き、その後、弧状ロッド２８と凹ブロック２９とを後方へ引き動かし、それによりランプシェード３６が頂端に向き、そしてランプシェード３６を一番下に引き、それにより電球３７が完全に外部空間に曝され、それで洞窟全体を明るく照らす。
【００１８】
本発明の有益な効果は：本装置は人の安全を守れると同時に、鉱夫に照明を提供し、伝統的な鉱夫ヘッドライトの角度を調節できない問題を改善し、同時に焦点を変えることにより光源の照らす範囲を調節でき、また鉱夫ヘッドライトの角度を調節することを通し、鉱夫ヘッドライトが洞窟全体を明るく照らし、鉱夫の作業に便利を与える。
【００１９】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は請求項に限定された保護範囲を基準とするべきである。